(57)【特許請求の範囲】
【請求項１】
複数桁の数値を表示する数値表示素子と、
前記複数桁よりも一つ大きい所定の桁を示す桁マークと小数点を示す小数点マークとをそれぞれ表示する補助表示素子と、
操作部材と、
前記操作部材の操作に応じて１つずつ変化する数をカウントするカウント回路と、
前記カウント値が前記数値表示素子の表示桁を超えるときに、前記カウント値を前記所定の桁の数のうちの最小値で除する演算を行う演算回路と、
前記演算回路による演算結果を前記数値表示素子による数値の表示と前記補助表示素子による前記桁マーク及び前記小数点マークの表示とによって表示するように前記数値表示素子と前記補助表示素子とを制御する表示制御回路と、を備えることを特徴とする電子装置。
【請求項２】
請求項１に記載の電子装置において、
前記表示制御回路は、電子装置に設定されている設定要素の変更によって影響を受ける数値を示す表示を行う際に、前記補助表示素子を用いることを特徴とする電子装置。
【請求項３】
請求項２に記載の電子装置において、
設定されている設定要素を表示する設定要素表示素子を更に有し、
前記設定要素表示素子は、前記数値表示素子および前記補助表示素子とは異なる表示位置に配置されており、
前記表示制御回路は、前記設定要素の変更時に、前記設定要素表示素子と、前記数値表示素子および前記補助表示素子とを使って、前記設定要素と前記数値とを同時に表示せしめることを特徴とする電子装置。
【請求項４】
請求項２又は３に記載の電子装置において、
前記設定要素は複数存在し、
前記複数の設定要素は、それぞれ画像記録容量にかかわることを特徴とする電子装置。
【請求項５】
請求項２〜４の何れか一項に記載の電子装置において、
前記設定要素は、記録画素数または記録画質を含むことを特徴とする電子装置。
【請求項６】
請求項２〜５の何れか一項に記載の電子装置において、
前記表示制御回路は、前記設定要素の変更に基づき変動する数値に基づいて、前記補助表示素子の表示状態を制御することを特徴とする電子装置。
【請求項７】
請求項１〜６の何れか一項に記載の電子装置において、
前記電子装置は、記録媒体に撮影画像を記録する電子カメラを含み、
前記数値表示素子は、三桁の数字表示を行う表示素子であり、
前記補助表示素子の前記桁マークは、１０００の単位を示し、
前記演算回路は、前記記録媒体に記録可能な残コマ数のカウント値を１０００で除する演算を行い、
前記表示制御装置は、
前記記録媒体に記録可能な残コマ数が９９９以下のときには、前記数値表示素子のみを用いて該残コマ数を表示せしめ、
前記記録可能な残コマ数が１０００以上のときには、前記演算回路による該残コマ数に対する演算結果を小数第一位まで、前記数値表示素子による数値の表示と前記補助表示素子による前記桁マーク及び小数点マークの表示とを用いて表示せしめることを特徴とする電子装置。
【発明の詳細な説明】
【０００１】
【発明の属する技術分野】
本発明は、数値表示を行う電子装置に関する。
【０００２】
【従来の技術】
電子カメラのコマ数表示のように、１つずつ変化する数値を表示する電子装置が知られている。電子カメラの場合、撮影した画像データを記録するメモリカードに記録容量が大きなものを使用すると、撮影コマ数が１万コマを超える場合がある。
【０００３】
【発明が解決しようとする課題】
このように大きな数の値を表示するために表示器の表示桁を増やすと、表示器が大きくなって表示器のコストアップや電子装置の大型化を招く。表示器の大きさを変えずに表示桁を増やすと、１桁当たりの表示が小さくなって見づらくなる。
【０００４】
本発明は、大きな数の値を見やすく表示するようにした電子装置を提供するものである。
【０００５】
【課題を解決するための手段】
（１）請求項１に記載の発明による電子装置は、複数桁の数値を表示する数値表示素子と、前記複数桁よりも一つ大きい所定の桁を示す桁マークと小数点を示す小数点マークとをそれぞれ表示する補助表示素子と、操作部材と、前記操作部材の操作に応じて１つずつ変化する数をカウントするカウント回路と、前記カウント値が前記数値表示素子の表示桁を超えるときに、前記カウント値を前記所定の桁の数のうちの最小値で除する演算を行う演算回路と、前記演算回路による演算結果を前記数値表示素子による数値の表示と前記補助表示素子による前記桁マーク及び前記小数点マークの表示とによって表示するように前記数値表示素子と前記補助表示素子とを制御する表示制御回路と、を備えることを特徴とする。
【０００６】
【発明の実施の形態】
以下、図面を参照して本発明の実施の形態を説明する。
図１は、本発明の一実施の形態による電子カメラの構成を示すブロック図である。図１において、ＣＣＤなどの撮像素子１０２は、撮影レンズ３を通過した被写体像を撮像して撮像信号を出力する。駆動回路１０３は、タイミング信号を発生して撮像素子１０２に駆動信号を供給する。撮像素子１０２から出力された撮像信号は、撮像信号処理回路１０４へ送られる。
【０００７】
撮像信号処理回路１０４は、不図示のＡ／Ｄ変換回路を含み、撮像素子１０２から入力されたアナログ撮像信号をデジタル信号に変換する。撮像信号処理回路１０４はさらに、デジタル撮像信号に対してホワイトバランス（ＷＢ）調整などの画像処理、画像処理後の画像データを所定の形式で圧縮する圧縮処理、圧縮されたデータを伸長する伸長処理などを行う。記録回路１０５は、画像データをフラッシュメモリなどのメモリカード１０６に記録する。メモリカード１０６は、画像処理後の画像データが記録される記録媒体であり、電子カメラに対して着脱可能に構成されている。メモリカード１０６は、コントローラ１０７によって電子カメラに対する挿抜の有無や、メモリカード１０６内の記録領域が管理される。
【０００８】
測光装置１１４は、被写体輝度を検出して検出信号を演算回路１０１に出力する。演算回路１０１は、輝度検出信号を用いて露出演算を行う他、電子カメラで必要な各種演算とカメラ動作のシーケンス制御とを行う。撮影シーケンス装置１１５は、演算回路１０１の指令によって不図示のシーケンスモータを駆動制御し、不図示のミラーのアップ／ダウン、不図示の絞りの駆動、および不図示のシャッタのチャージなど、撮影時のシーケンス制御を行う。表示装置１２は、たとえば、液晶表示器によって構成され、電子カメラの設定内容を示す情報などを文字やマークで表示する。表示駆動回路１１６は、演算回路１０１から出力される指令に応じて表示装置１２を駆動する。
【０００９】
レリーズスイッチ１１３は、不図示のレリーズボタンに連動してレリーズ操作信号を演算回路１０１に出力する。画像記録設定スイッチ１１２は、メモリカード１０６へ画像データを記録する際の画像記録容量にかかわる操作信号を演算回路１０１に出力する。
【００１０】
画素数設定スイッチ１４は、たとえば、ダイヤルスイッチ１１０，１１１で構成される。画素数設定スイッチ１４は、画像記録設定スイッチ１１２が操作されている状態で回転操作されると、メモリカード１０６へ画像データを記録する際の記録画素数を増減させる操作信号を、回転操作に応じて出力する。スイッチ１１０およびスイッチ１１１は、それぞれ周知のＡ相およびＢ相の操作信号を発生する。演算回路１０１は、Ａ相およびＢ相による両信号の位相差によって画素数設定スイッチ１４の回転方向を検出する。演算回路１０１は、撮像素子１０２から読み出される１画面当たりの信号の数、すなわち、１画像当たりの画素数を画素数設定スイッチ１４からの操作信号に応じて変更する。記録画素数は、たとえば、以下の３段階に変更可能に構成されている。
画素数▲１▼１画面を構成する画素数が２０４８×１５３６ドットの「Ｌサイズ」
画素数▲２▼１画面を構成する画素数が１０２４×７６８ドットの「Ｍサイズ」
画素数▲３▼１画面を構成する画素数が６４０×４８０ドットの「Ｓサイズ」
【００１１】
画質設定スイッチ１３は、たとえば、ダイヤルスイッチ１０８，１０９で構成される。画質設定スイッチ１３は、画像記録設定スイッチ１１２が操作されている状態で回転操作されると、メモリカード１０６へ画像データを記録する際の記録画質を変更する操作信号を、回転操作に応じて出力する。スイッチ１０８およびスイッチ１０９は、それぞれ周知のＡ相およびＢ相の信号を発生する。演算回路１０１は、Ａ相およびＢ相による両信号の位相差によって画質設定スイッチ１３の回転方向を検出する。演算回路１０１は、画質設定スイッチ１３からの操作信号に応じて、撮像信号処理回路１０４に画像処理の要否および圧縮処理時の圧縮率を指示する。記録画質は、たとえば、以下の５通りに変更可能に構成されている。
画質▲１▼画像データに画像処理を施さずに記録する「ＲＡＷ」
画質▲２▼画像処理後の画像データを非圧縮で記録する「ＴＩＦＦ」
画質▲３▼画像処理後の画像データを圧縮率約１／４で記録する「ＦＩＮＥ」
画質▲４▼画像処理後の画像データを圧縮率約１／８で記録する「ＮＯＲＭＡＬ」
画質▲５▼画像処理後の画像データを圧縮率約１／１６で記録する「ＢＡＳＩＣ」
【００１２】
本発明は、上述した電子カメラの表示装置１２で行われる表示のうち、撮影して記録する画像の数（コマ数）の表示に特徴を有する。とくに、メモリカード１０６の記録領域が大きく、１０００を超えるような大きなコマ数表示に特徴がある。コマ数は、記録される画像データの画像記録容量、すなわち、１画像当たりの記録画素数および記録画質の少なくとも一方の変更にともなって増減する。
【００１３】
図２は、表示装置１２の表示セグメントを説明する図である。画素数用セグメント２１は、記録画素数を示す表示に使用される。画素数用セグメント２１を構成する「Ｌ」は、上記画素数▲１▼の場合に点灯される。画素数用セグメント２１を構成する「Ｍ」は、上記画素数▲２▼の場合に点灯される。画素数用セグメント２１を構成する「Ｓ」は、上記画素数▲３▼の場合に点灯される。
【００１４】
画質用セグメント２２は、記録画質を示す表示に使用される。画質用セグメント２２を構成する「ＲＡＷ」は、上記画質▲１▼の場合に点灯される。画質用セグメント２２を構成する「ＴＩＦＦ」は、上記画質▲２▼の場合に点灯される。画質用セグメント２２を構成する「ＦＩＮＥ」は、上記画質▲３▼の場合に点灯される。画質用セグメント２２を構成する「ＮＯＲＭ」は、上記画質▲４▼の場合に点灯される。画質用セグメント２２を構成する「ＢＡＳＩＣ」は、上記画質▲５▼の場合に点灯される。
【００１５】
セグメント２３は、撮影時のシャッター秒時（シャッター速度）の表示に使用される。セグメント２４は、撮影時の絞り値の表示に使用される。桁表示用セグメント２５は、千の単位を示す表示に使用される。小数点表示用セグメント２６は、小数点を示す表示に使用される。数値用セグメント２７は、記録済みコマ数もしくは残コマ数などのカウンタ表示に使用される。数値用セグメント２７は、いわゆる７セグメントで構成される数字を表示する表示素子を３組備え、数値の場合に３桁まで表示するように構成されている。本実施の形態では、桁表示用セグメント２５および小数点表示用セグメント２６を、数値用セグメント２７に対する補助表示素子とする。補助用表示素子は、数字ではない表示素子である。
【００１６】
表示装置１２は、以上説明したセグメント以外にもセグメントを有するが、本発明の特徴的な構成と異なるセグメントについてはその説明を省略する。
【００１７】
電子カメラの演算回路１０１で行われるカメラ動作の処理について、図３のフローチャートを参照して説明する。図３によるプログラムは、電子カメラに不図示の電池が装填されると起動して繰り返される。図３のステップＳ１において、演算回路１０１は以下の初期設定を行う。すなわち、画質フラグＱに４を、画素数フラグＳに１をそれぞれセットしてステップＳ２へ進む。
【００１８】
ここで、画質フラグＱは、上述した記録画質▲１▼〜▲５▼に対応してそれぞれＱ＝１〜５がセットされるフラグである。初期設定では、記録画質が「ＮＯＲＭＡＬ」に設定される。画素数フラグＳは、上述した記録画素数▲１▼〜▲３▼に対応してそれぞれＳ＝１〜３がセットされるフラグである。初期設定では、記録画素数が「Ｌサイズ」に設定される。
【００１９】
ステップＳ２において、演算回路１０１は、画像記録設定スイッチ１１２から操作信号が入力されているか否かを判定する。演算回路１０１は、画像記録設定スイッチ１１２から操作信号が入力されている場合に、ステップＳ２を肯定判定してステップＳ３へ進み、操作信号が入力されていない場合にステップＳ２を否定判定してステップＳ４へ進む。
【００２０】
ステップＳ３において、演算回路１０１は、設定・表示処理を行ってステップＳ４へ進む。設定・表示処理の詳細については後述する。ステップＳ４において、演算回路１０１は、測光装置１１４から入力される検出信号によって被写体輝度を演算する測光を行い、ステップＳ５へ進む。ステップＳ５において、演算回路１０１は、所定の露出演算処理を行ってステップＳ６へ進む。
【００２１】
ステップＳ６において、演算回路１０１は、コントローラ１０７に指令を出力し、メモリカード１０６に対するアクセスを行わせてステップＳ７へ進む。ステップＳ７において、演算回路１０１は、メモリカード１０６がカメラに装着されているか否かを判定する。演算回路１０１は、コントローラ１０７による上記アクセスによってメモリカード１０６の装着が検出されると、ステップＳ７を肯定判定してステップＳ８へ進み、メモリカード１０６の装着が検出されない場合は、ステップＳ７を否定判定してステップＳ１５へ進む。
【００２２】
ステップＳ８において、演算回路１０１は、コントローラ１０７によって検出されるメモリカード１０６の未記録（残り）領域の記録容量と、電子カメラに設定されている記録画素数および記録画質とによって未記録領域に記録可能なコマ数、すなわち、残コマ数Ｎを算出してステップＳ９へ進む。残コマ数Ｎは、未記録容量を１画像当たりの画像記録容量で除算して求める。残コマ数Ｎは、記録画素数および記録画質のいずれを変更しても変化する。
【００２３】
ステップＳ９において、演算回路１０１は表示駆動回路１１６に指令を出力し、シャッター秒時や絞り値などの撮影情報、記録画質、および記録画素数を示す表示を表示装置１２に表示させてステップＳ９Ａへ進む。ステップＳ９Ａにおいて、演算回路１０１は、コマ数表示処理を行ってステップＳ１０へ進む。図４および図５は、コマ数表示処理後の表示装置１２の表示例を示す図である。図４は、記録画素数が「Ｍサイズ」で記録画質が「ＮＯＲＭＡＬ」の場合を示す。図４に示される画質記録設定において、残コマ数Ｎが「１６８」であることが数値用セグメント２７によって点灯表示されている。図５は、記録画素数が「Ｓサイズ」で記録画質が「ＢＡＳＩＣ」の場合を示す。図５に示される画質記録設定において、残コマ数Ｎが「１．７Ｋ」であることが数値用セグメント２７、桁表示用セグメント２５および小数点表示用セグメント２６によって点灯表示されている。「１．７Ｋ」は、残コマ数Ｎが１７００≦Ｎ＜１８００のいずれかであることを意味する。なお、コマ数表示処理の詳細については後述する。
【００２４】
ステップＳ１０において、演算回路１０１は、レリーズスイッチ１１３からレリーズ操作信号が入力されたか否かを判定する。演算回路１０１は、レリーズ操作信号が入力された場合にステップＳ１０を肯定判定してステップＳ１１へ進み、レリーズ操作信号が入力されない場合にステップＳ１０を否定判定してステップＳ２へ戻る。
【００２５】
ステップＳ１１において、演算回路１０１は、駆動回路１０３に撮像素子１０２の駆動を開始させるとともに、撮影シーケンス制御装置１１５に指令を出力し、不図示の絞り制御および不図示のシャッタ制御など露出制御を行わせてステップＳ１２へ進む。これにより、撮像素子１０２は、撮像面に入射される被写体光の強さに応じて所定時間電荷を蓄積する。ステップＳ１２において、演算回路１０１は、駆動回路１０３に指令を出力し、フラグＳに応じた画素数の撮像信号を撮像素子１０２から読み出させてステップＳ１３へ進む。
【００２６】
ステップＳ１３において、演算回路１０１は、撮像信号処理回路１０４に画像信号処理を指示してステップＳ１４へ進む。なお、Ｑ＝１（記録画質が「ＲＡＷ」）の場合はステップＳ１３をスキップしてステップＳ１４へ進む。ステップＳ１４において、演算回路１０１は、フラグＱに応じた圧縮率で圧縮処理するように撮像信号処理回路１０４へ指示するとともに、圧縮処理後の画像データをメモリカード１０６に記録するように記録回路１０５へ指示する。なお、Ｑ＝１（記録画質が「ＲＡＷ」）もしくはＱ＝２（記録画質が「ＴＩＦＦ」）の場合は、非圧縮データを記録するので圧縮処理を省略する。
【００２７】
演算回路１０１は、メモリカード１０６に画像データの記録が終了するとステップＳ２へ戻り、一連の撮影処理を終了する。撮影処理が終了すると図３による処理が繰り返されるので、１コマ記録するごとに残コマ数Ｎを示す表示が更新される。
【００２８】
上述したステップＳ７を否定判定して進むステップＳ１５において、演算回路１０１は、表示駆動回路１１６に指令を出力し、シャッター秒時や絞り値などの撮影情報、記録画質、および記録画素数を示す表示を表示装置１２に表示させてステップＳ１５Ａへ進む。ステップＳ１５Ａにおいて、演算回路１０１は、コマ数表示処理を行ってステップＳ１６へ進む。図６は、コマ数表示処理後の表示装置１２の表示例を示す図である。図６において、記録画素数が「Ｌサイズ」で記録画質が「ＲＡＷ」に設定されている。図６ではさらに、メモリカード１０６が未装着であることを示す「−Ｅ−」が、数値用セグメント２７によって点灯表示されている。なお、コマ数表示処理の詳細については後述する。
【００２９】
ステップＳ１６において、演算回路１０１は、レリーズスイッチ１１３からレリーズ操作信号が入力されたか否かを判定する。演算回路１０１は、レリーズ操作信号が入力された場合にステップＳ１６を肯定判定してステップＳ１７へ進み、レリーズ操作信号が入力されない場合にステップＳ１６を否定判定してステップＳ２へ戻る。
【００３０】
ステップＳ１７において、演算回路１０１は、駆動回路１０３に撮像素子１０２の駆動を開始させるとともに、撮影シーケンス制御装置１１５に指令を出力し、不図示の絞り制御および不図示のシャッタ制御など露出制御を行わせる。演算回路１０１は、露出制御が終了するとステップＳ２へ戻り、一連の撮影処理を終了する。メモリカード１０６が装着されていない場合は、画像データの記録をしない。
【００３１】
設定・表示処理の詳細について、図７のフローチャートを参照して説明する。ステップＳ１０１において、演算回路１０１は、画質設定スイッチ１３を構成するダイヤルスイッチ１０８，１０９からアップ回転を示す操作信号が入力されたか否かを判定する。アップ回転は、たとえば、時計回りの回転とする。演算回路１０１は、アップ回転を示す操作信号が入力された場合にステップＳ１０１を肯定判定してステップＳ１０２へ進み、アップ回転を示す操作信号が入力されない場合にステップＳ１０１を否定判定してステップＳ１０５へ進む。
【００３２】
ステップＳ１０２において、演算回路１０１は、フラグＱ＝５か否かを判定する。演算回路１０１は、Ｑ＝５（記録画質がＢＡＳＩＣ）の場合にステップＳ１０２を肯定判定してステップＳ１０４へ進み、Ｑ≠５の場合にステップＳ１０２を否定判定してステップＳ１０３へ進む。ステップＳ１０３において、演算回路１０１は、Ｑに１を加えてステップＳ１１７へ進む。ステップＳ１０４において、演算回路１０１は、Ｑに１をセットしてステップＳ１１７へ進む。アップ回転時にＱ＝５の次にＱ＝１をセットするので、Ｑの値がサイクリックに設定される。
【００３３】
ステップＳ１０５において、演算回路１０１は、画質設定スイッチ１３を構成するダイヤルスイッチ１０８，１０９からダウン回転を示す操作信号が入力されたか否かを判定する。ダウン回転は、たとえば、反時計回りの回転とする。演算回路１０１は、ダウン回転を示す操作信号が入力された場合にステップＳ１０５を肯定判定してステップＳ１０６へ進み、ダウン回転を示す操作信号が入力されない場合にステップＳ１０５を否定判定してステップＳ１０９へ進む。
【００３４】
ステップＳ１０６において、演算回路１０１は、フラグＱ＝１か否かを判定する。演算回路１０１は、Ｑ＝１（記録画質がＲＡＷ）の場合にステップＳ１０６を肯定判定してステップＳ１０８へ進み、Ｑ≠１の場合にステップＳ１０６を否定判定してステップＳ１０７へ進む。ステップＳ１０７において、演算回路１０１は、Ｑから１を減算してステップＳ１１７へ進む。ステップＳ１０８において、演算回路１０１は、Ｑに５をセットしてステップＳ１１７へ進む。ダウン回転時にＱ＝１の次にＱ＝５をセットするので、Ｑの値がサイクリックに設定される。
【００３５】
ステップＳ１０９において、演算回路１０１は、画素数設定スイッチ１４を構成するダイヤルスイッチ１１０，１１１からアップ回転を示す操作信号が入力されたか否かを判定する。アップ回転は、たとえば、時計回りの回転とする。演算回路１０１は、アップ回転を示す操作信号が入力された場合にステップＳ１０９を肯定判定してステップＳ１１０へ進み、アップ回転を示す操作信号が入力されない場合にステップＳ１０９を否定判定してステップＳ１１３へ進む。
【００３６】
ステップＳ１１０において、演算回路１０１は、フラグＳ＝３か否かを判定する。演算回路１０１は、Ｓ＝３（記録画素数がＬサイズ）の場合にステップＳ１１０を肯定判定してステップＳ１１２へ進み、Ｓ≠３の場合にステップＳ１１０を否定判定してステップＳ１１１へ進む。ステップＳ１１１において、演算回路１０１は、Ｓに１を加えてステップＳ１１７へ進む。ステップＳ１１２において、演算回路１０１は、Ｓに１をセットしてステップＳ１１７へ進む。アップ回転時にＳ＝３の次にＳ＝１をセットするので、Ｓの値がサイクリックに設定される。
【００３７】
ステップＳ１１３において、演算回路１０１は、画素数設定スイッチ１４を構成するダイヤルスイッチ１１０，１１１からダウン回転を示す操作信号が入力されたか否かを判定する。ダウン回転は、たとえば、反時計回りの回転とする。演算回路１０１は、ダウン回転を示す操作信号が入力された場合にステップＳ１１３を肯定判定してステップＳ１１４へ進み、ダウン回転を示す操作信号が入力されない場合にステップＳ１１３を否定判定してステップＳ１１７へ進む。
【００３８】
ステップＳ１１４において、演算回路１０１は、フラグＳ＝１か否かを判定する。演算回路１０１は、Ｓ＝１（記録画素数がＳサイズ）の場合にステップＳ１１４を肯定判定してステップＳ１１６へ進み、Ｓ≠１の場合にステップＳ１１４を否定判定してステップＳ１１５へ進む。ステップＳ１１５において、演算回路１０１は、Ｓから１を減算してステップＳ１１７へ進む。ステップＳ１１６において、演算回路１０１は、Ｓに３をセットしてステップＳ１１７へ進む。ダウン回転時にＳ＝１の次にＳ＝３をセットするので、Ｓの値がサイクリックに設定される。
【００３９】
ステップＳ１１７において、演算回路１０１は、コントローラ１０７に指令を出力し、メモリカード１０６に対するアクセスを行わせてステップＳ１１８へ進む。ステップＳ１１８において、演算回路１０１は、メモリカード１０６がカメラに装着されているか否かを判定する。演算回路１０１は、コントローラ１０７による上記アクセスでメモリカード１０６の装着が検出されると、ステップＳ１１８を肯定判定してステップＳ１１９へ進み、メモリカード１０６の装着が検出されない場合は、ステップＳ１１８を否定判定してステップＳ１２１へ進む。
【００４０】
ステップＳ１１９において、演算回路１０１は、コントローラ１０７によって検出されるメモリカード１０６の未記録（残り）領域の記録容量と、電子カメラに設定されている記録画素数および記録画質とによって未記録領域に記録可能な残コマ数Ｎを算出してステップＳ１２０へ進む。
【００４１】
ステップＳ１２０において、演算回路１０１は表示駆動回路１１６に指令を出力し、記録画質および記録画素数を示す表示を表示装置１２に表示させてステップＳ１２０Ａへ進む。ステップＳ１２０Ａにおいて、演算回路１０１は、コマ数表示処理を行ってステップＳ１２２へ進む。図８および図９は、コマ数表示処理後の表示装置１２の表示例を示す図である。図８は、記録画素数が「Ｌサイズ」で記録画質が「ＦＩＮＥ」の場合を示す。図８に示される画質記録設定において、残コマ数Ｎが「４５」であることが数値用セグメント２７によって点灯表示されている。図９は、記録画素数が「Ｓサイズ」で記録画質が「ＢＡＳＩＣ」の場合を示す。図９に示される画質記録設定において、記録可能な残コマ数Ｎが「５．９Ｋ」であることが数値用セグメント２７、桁表示用セグメント２５および２６によって点灯表示されている。「５．９Ｋ」は、残コマ数Ｎが５９００≦Ｎ＜６０００のいずれかであることを意味する。なお、残コマ数表示処理の詳細については後述する。
【００４２】
ステップＳ１２２において、演算回路１０１は、画像記録設定スイッチ１１２から操作信号が入力されているか否かを判定する。演算回路１０１は、画像記録設定スイッチ１１２から操作信号が入力されている場合にステップＳ１２２を肯定判定してステップＳ１０１へ戻り、操作信号が入力されていない場合にステップＳ１２２を否定判定して図７による処理を終了し、図３のステップＳ４へ進む。
【００４３】
上述したステップＳ１１８を否定判定して進むステップＳ１２１において、演算回路１０１は表示駆動回路１１６に指令を出力し、記録画質および記録画素数を示す表示を表示装置１２に表示させてステップＳ１２１Ａへ進む。ステップＳ１２１Ａにおいて、演算回路１０１は、コマ数表示処理を行ってステップＳ１２２へ進む。図１０は、コマ数表示処理後の表示装置１２の表示例を示す図である。図１０において、記録画素数が「Ｓサイズ」で記録画質が「ＢＡＳＩＣ」に設定されている。図１０ではさらに、メモリカード１０６が未装着であることを示す「−Ｅ−」が、数値用セグメント２７によって点灯表示されている。なお、コマ数表示処理の詳細については後述する。
【００４４】
図８〜図１０において、記録画素数を示す画素数用セグメント２１による表示、記録画質を示す画質用セグメント２２による表示、および残コマ数Ｎもしくはメモリカード１０６の未装着を示す数値用セグメント２７による表示以外の表示セグメントは消灯される。ただし、桁表示用セグメント２５および小数点表示用セグメント２６は残コマ数Ｎの表示時に必要に応じて点灯される。図７による設定・表示処理は、記録画素数もしくは記録画質の設定変更を行う処理であるので、変更の対象となる設定要素（上記の例では記録画素数および記録画質）を示す画素数用セグメント２１および画質用セグメント２２と、設定要素を変更することによって影響を受ける数値（設定要素の変更によって変化する残コマ数Ｎ）を示すセグメント２５〜２７とを使用し、他のセグメントは使用しないで消灯しておく。設定・表示処理時に不使用のため消灯された各セグメントは、図７による処理が終了する時点で元の点灯状態に復帰される。図４〜図６は、設定・表示処理時に消灯されたセグメントが元の点灯状態に復帰された後の表示装置１２の表示例を示すものである。
【００４５】
コマ数表示処理の詳細について、図１１のフローチャートを参照して説明する。ステップＳ２０１において、演算回路１０１は、メモリカード１０６がカメラに装着されているか否かを判定する。演算回路１０１は、コントローラ１０７による上記アクセスによってメモリカード１０６の装着が検出されているとき、ステップＳ２０１を肯定判定してステップＳ２０２へ進み、メモリカード１０６の装着が検出されていないとき、ステップＳ２０１を否定判定してステップＳ２０７へ進む。
【００４６】
ステップＳ２０２において、演算回路１０１は、残コマ数Ｎが１０００以上か否かを判定する。演算回路１０１は、Ｎ≧１０００が成立する場合にステップＳ２０２を肯定判定してステップＳ２０３へ進み、Ｎ≧１０００が成立しない場合にステップＳ２０２を否定判定してステップＳ２０６へ進む。ステップＳ２０３において、演算回路１０１は、Ｉ＝Ｎ／１０００を計算してステップＳ２０４へ進む。ステップＳ２０４において、演算回路１０１は、表示駆動回路１１６に指令を出力し、千の桁を示す「Ｋ」を表示装置１２の桁表示用セグメント２５によって点灯表示させるとともに、小数点を示す「・」を小数点表示用セグメント２６によって点灯表示させてステップＳ２０５へ進む。
【００４７】
ステップＳ２０５において、演算回路１０１は、表示駆動回路１１６に指令を出力し、Ｉの値を小数第１位まで表示装置１２の数値用セグメント２７で点灯表示させて図１１によるサブルーチン処理を終了する。図５および図９は、それぞれ小数第１位までの表示と、小数点および千の桁を示す表示とを含む表示例である。なお、ステップＳ２０５では、Ｉの小数第２位を四捨五入して小数１位まで表示装置１２の数値用セグメント２７で点灯表示させてもよい。
【００４８】
ステップＳ２０６において、演算回路１０１は、表示駆動回路１１６に指令を出力し、Ｎの値を表示装置１２の数値用セグメント２７で点灯表示させて図１１によるサブルーチン処理を終了する。図４および図８は、それぞれ０≦Ｎ≦９９９の場合の表示を含む表示例である。ステップＳ２０７において、演算回路１０１は、表示駆動回路１１６に指令を出力し、「−Ｅ−」を表示装置１２の数値用セグメント２７で点灯表示させて図１１によるサブルーチン処理を終了する。図６および図１０は、それぞれ「−Ｅ−」を含む表示例である。
【００４９】
以上説明した実施の形態による電子カメラでは、次の作用効果が得られる。
（１）装着されているメモリカード１０６に対して記録可能な残コマ数Ｎが大きく、表示装置１２の数値用セグメント２７の表示桁（上記の例では３桁）を超える場合に、桁表示用セグメント２５および小数点表示用セグメント２６を補助表示素子として点灯表示させるとともに、Ｎ／１０００を小数第１位まで数値用セグメント２７で表示させるようにした。補助表示素子で表示をしない場合は、残コマ数Ｎが１０００であっても５０００であっても常に「９９９」が表示され、実際の値がわかりにくい。これに対して、本実施の形態のように補助表示素子で表示を行うと、残コマ数Ｎが１０００を超える場合にセグメント２７による表示が１００コマ単位で変化するから、残コマ数Ｎをわかりやすく表示できる。さらに、数値用セグメント２７の表示桁を４桁以上に増やさなくてもよいので、表示桁増加のために表示装置１２が大型化したり、表示桁増加のために数値用セグメント２７が縮小されて見づらくなることがない。
（２）設定要素（上記の例では記録画素数もしくは記録画質）の設定変更を行う際に表示装置１２に表示する設定時表示は、変更の対象となる記録画素数を示す画素数用セグメント２１と、変更の対象となる記録画質を示す画質用セグメント２２と、設定要素を変更することによって変化する残コマ数Ｎを示す数値用セグメント２７ならびに補助表示素子２５，２６とを使用して行い、他のセグメントは使用しないで消灯しておくようにした。設定変更に無関係な表示が行われないので、無関係な表示セグメントが点灯されている場合に比べて撮影者が受ける煩わしさが軽減され、変更の対象を見やすく表示することができる。さらに、残コマ数Ｎを表示しておくことで、残コマ数Ｎを確認しながら記録画素数および記録画質の設定変更を行うことができるから、撮影者にとって操作性が向上する。
【００５０】
上述した説明では、３桁の数値用セグメント２７に対する補助表示素子として桁表示用セグメント２５および小数点表示用セグメント２６を両方使用するようにした。この代わりに、桁表示用セグメント２５を省略し、小数点表示用セグメント２６のみを補助表示素子として使用してもよい。残コマ数Ｎは撮影にともなって１コマずつ変化するので、残コマ数Ｎが１０００未満の場合に小数点以下の表示を行う必要はない。小数点表示が必要なのは、残コマ数Ｎが１０００以上の場合である。そこで、数値用セグメント２７および小数点表示用セグメント２６によって小数表示を行うこと自体が、残コマ数Ｎ≧１０００であることを撮影者に報知することにつながる。撮影者は、小数表示された場合に表示値を１０００倍すればよい。
【００５１】
以上の説明では、電子カメラを例にあげて説明したが、電子カメラ以外の電子装置にも本発明を適用できる。たとえば、データストレージ装置の所定の記録領域にデータを記録するとき、当該記録領域に記録可能なデータ数の表示を行う場合に適用できる。この場合の数値用セグメントの表示桁数は、上述した３桁でなくてもよく、桁表示用セグメントが示す単位も上述した千単位でなくてもよい。これらは、表示する数値の大きさに応じて桁数を適宜選べばよい。
【００５２】
以上の説明では、メモリカード１０６の未記録領域に記録可能なコマ数、すなわち、撮影可能な残コマ数Ｎを表示するようにした。この代わりに、既に撮影して記録した記録済みコマ数、もしくは記録済みコマ数に対して１を加算した数（次の撮影で記録されるコマ数）を表示するようにしてもよい。なお、このコマ数は、１，２，３，．．．等の整数特に自然数で表される。マイナス符号の補助表示素子を使用すれば、負の自然数としても表すことが可能である。
【００５３】
以上の説明では、アルファベット「Ｋ」（小文字ｋでもよい）を使用して１０００の桁を表した。１０００の桁とは、数字に１０００を掛け算することによって本来の数値が求まることを意味する。また、１０００の桁とは３桁を意味しているとも言える。例えば、「１Ｋ」の場合、アルファベット「Ｋ」は３桁を意味し「１」は４桁目の数字を意味する。アルファベット「Ｋ」と小数点を使用する場合は、アルファベット「Ｋ」は３桁を意味し小数点以上の１桁目の数字が４桁目の数字を意味する。本実施の形態の形態では、小数点を使用しない場合の３桁は、０００〜９９９を意味する。小数点を使用する場合の３桁は、小数点以下の数字を考慮して決まる。例えば、「１．７Ｋ」の場合のアルファベット「Ｋ」が表す３桁は、７００〜７９９を意味する。なお、１０００の桁を表示するマークとしては、必ずしもアルファベット「Ｋ」に限定する必要はない。一定の取り決めにより１０００の桁を意味するようにした他のマークであってもよい。
【００５４】
以上の説明では、演算回路１０１や駆動回路１０３等で回路という表現を使用しているが、この回路を装置と置き換えて呼んでもよい。例えば、演算装置１０１や駆動装置１０３等と呼んでもよい。
【００５５】
以上の説明では、設定要素（上記の例では記録画素数もしくは記録画質）の設定変更を行う際に表示装置１２に表示する設定時表示は、変更の対象となる記録画素数を示す画素数用セグメント２１と、変更の対象となる記録画質を示す画質用セグメント２２と、設定要素を変更することによって変化する残コマ数Ｎを示す数値用セグメント２７ならびに補助表示素子２５，２６とを使用して行い、表示装置１２内の他のセグメントは使用しないで消灯しておくようにした。これは、必ずしもセグメント２１、２２、２５〜２７以外の他のセグメントを完全に消灯することを意味しなくてもよい。変更の対象を見やすく表示することができる程度に、セグメント２１、２２、２５〜２７の周辺にあるセグメントを消灯するものであってもよい。
【００５６】
特許請求の範囲における各構成要素と、発明の実施の形態における各構成要素との対応について説明する。表示素子は、たとえば、数値用セグメント２７によって構成される。補助表示素子は、たとえば、桁表示用セグメント２５および小数点表示用セグメント２６によって構成される。操作部材は、たとえば、レリーズスイッチ１１３によって構成される。カウント回路および表示制御回路は、たとえば、演算回路１０１によって構成される。カウント値および影響を受ける数値は、たとえば、残コマ数Ｎが対応する。設定要素は、たとえば、記録画素数および記録画質が対応する。設定変更操作部材は、たとえば、画像記録設定スイッチ１１２、画質設定スイッチ１３(１０８,１０９)、および画素数設定スイッチ１４(１０９,１１０)によって構成される。なお、本発明の特徴的な機能を損なわない限り、各構成要素は上記構成に限定されるものではない。
【００５７】
【発明の効果】
本発明による電子装置では、操作に応じて１つずつ変化する数値を見やすく表示することができる。
【図面の簡単な説明】
【図１】本発明の一実施の形態による電子カメラの構成を示すブロック図である。
【図２】表示装置の表示セグメントを説明する図である。
【図３】電子カメラの演算回路で行われるカメラ動作の処理の流れを説明するフローチャートである
【図４】コマ数表示処理後の表示例を示す図である。
【図５】コマ数表示処理後の表示例を示す図である。
【図６】コマ数表示処理後の表示例を示す図である。
【図７】設定・表示処理の詳細を説明するフローチャートである。
【図８】コマ数表示処理後の表示例を示す図である。
【図９】コマ数表示処理後の表示例を示す図である。
【図１０】コマ数表示処理後の表示例を示す図である。
【図１１】コマ数表示処理の詳細を説明するフローチャートである。
【符号の説明】
１２…表示装置、                    １３(１０８,１０９)…画質設定スイッチ、
１４(１０９,１１０)…画素数設定スイッチ、
２１…画素数表示用セグメント、      ２２…画質表示用セグメント、
２５…桁表示用セグメント、          ２６…小数点表示用セグメント、
２７…数値用セグメント、          １０１…演算回路、
１０６…メモリカード、            １１２…画像記録設定スイッチ、
１１３…レリーズスイッチ、        １１６…表示駆動回路
【図１】
0004534419.tif 000002
【図２】
0004534419.tif 000003
【図３】
0004534419.tif 000004
【図４】
0004534419.tif 000005
【図５】
0004534419.tif 000006
【図６】
0004534419.tif 000007
【図７】
0004534419.tif 000008
【図８】
0004534419.tif 000009
【図９】
0004534419.tif 000010
【図１０】
0004534419.tif 000011
【図１１】
0004534419.tif 000012